(57)【要約】【課題】風呂水ポンプのオイルシール固定部の寸法、真円度がばらついても、水封性を確保し得る洗濯機を提供すること。【解決手段】風呂水ポンプ１８は、オイルシール２０の外周側に設けた嵌合部２１と固定部３０とを圧入嵌合するとともに、オイルシール２０の下面部に形成した断面略三角状の突起部２４を固定部３０の内底面部に圧接させる構成とすることにより、二重水封構成で水封性を確保することとなり、万が一、樹脂材料から成るケーシング１９の成形バラツキによりオイルシール２０外周側の寸法や真円度に多少の誤差が生じても、もう一方の水封性は十分に確保されており、オイルシール２０と固定部３０接触面間から水の漏れ、侵入が発生することがなく、安全性を確保することができる。【選択図】図４
2018171125.tif 000002
【特許請求の範囲】
【請求項１】
本体と、本体内に収納された水槽と、前記水槽内に風呂水等を給水する風呂水ポンプと、前記風呂水ポンプの外装を構成するケーシングと、前記風呂水ポンプの回転軸に外嵌されて前記ケーシングの固定部に固定されたオイルシールとを備え、前記風呂水ポンプは、前記オイルシールの外周側に設けた嵌合部と前記固定部とを圧入嵌合するとともに、前記オイルシールの下面部に形成した円周突起部を前記固定部の内底面部に圧接させた洗濯機。
【請求項２】
風呂水ポンプは、オイルシールの上面側に加圧部材を配設した請求項１に記載の洗濯機。
【請求項３】
風呂水ポンプは、オイルシールの高さを、固定部の高さより高く設定した請求項１または２に記載の洗濯機。
【請求項４】
風呂水ポンプは、オイルシールと加圧部材の当接面の外形よりも科ある部材の外形を大きく設定した請求項２に記載の洗濯機。
【発明の詳細な説明】
【技術分野】
【０００１】
本発明は、ポンプを備えた洗濯機に関するものである。
【背景技術】
【０００２】
従来、この種の洗濯機は、風呂の残り湯を使って水道水を節約するために、風呂水を汲み上げる風呂水ポンプを搭載しており、風呂水ポンプの構成が提案されている（例えば、特許文献１参照）。
【０００３】
図８は、特許文献１に記載された従来の風呂水ポンプの縦断面図である。
【０００４】
図８において、吸水口７６ａは、ケーシングカバー９１と一体に形成されており、風呂との間に吸水ホース(図示せず)が接続される。ケーシングカバー９１には、逆止弁９６を収納する吸込室９１ｄと仕切り壁９１ｃとが一体形成されている。
【０００５】
ケーシング９０には、電動機９３を保持する円筒部９０ｍとポンプランナー室とオイルシール９８及び絶縁材料から成るカップリング９５と気水分離室９０ｋの一部と冷却用水路９０ｅとが一体に設けられている。つまり、オイルシール９８は、ケーシング９０に圧入嵌合され、大気側である電動機９３側と水側とを隔てている。
【０００６】
電動機９３のモータシャフト９４ａにカップリング９５を介してランナーシャフト９９が接続され、ランナーシャフト９９にランナー９２が固定されている。
【０００７】
そして、電動機９３が回転すると、モータシャフト９４ａ、カップリング９５、ランナーシャフト９９を介して、ランナー９２が回転する。
【０００８】
ランナー９２の回転により、吸込室９１ｄは負圧となり、逆止弁９６を開いて吸水口７６ａに接続された吸水ホース内の空気を吸い込み、空気と水の混合したものを排出室９０ｉへ送り出す。排出室９０ｉに送られた風呂水は、気水分離室９０ｋ、吐出ホース（図示せず）を介して洗濯槽（図示せず）内に供給される。
【０００９】
図９は、風呂水ポンプのオイルシール部の拡大断面図である。図９において、オイルシール９８にモータシャフト９４ａが挿入され、オイルシール９８の上部の大気側で生じた動力をケーシング９０の下部の流体側に伝えている。図９に示すように、従来は、オイルシール９８は、ケーシング側面９０ａをオイルシール側面９８ａに当接させることで、オイルシール側面９８ａとケーシング側面９０ａとの接触面間からの流体の漏れを防止している。
【先行技術文献】
【特許文献】
【００１０】
【特許文献１】特開平８−１３５５９０号公報
【発明の概要】
【発明が解決しようとする課題】
【００１１】
しかしながら、前記従来の構成では、オイルシールの取り付けについては、オイルシール外周面とケーシング（固定部）内周面との嵌合のみで接圧を確保し、水の漏れ、もしくは、侵入を防ぐ構造としていたが、径寸法のばらつきや、真円度、円筒度の精度不足によって接圧が不足して、接触面間から水が漏れるという課題があった。
【００１２】
本発明は、前記従来の課題を解決するもので、ポンプにおける水の漏れ、侵入を抑制し得る洗濯機を提供することを目的とする。
【課題を解決するための手段】
【００１３】
上記目的を達成するために、本発明の洗濯機は、本体と、本体内に収納された水槽と、前記水槽内に風呂水等を給水する風呂水ポンプと、前記風呂水ポンプの外装を構成するケーシングと、前記風呂水ポンプの回転軸に外嵌されて前記ケーシングの固定部に固定されたオイルシールとを備え、前記風呂水ポンプは、前記オイルシールの外周側に設けた嵌合部と前記固定部とを圧入嵌合するとともに、前記オイルシールの下面部に形成した円周突起部を前記固定部の内底面部に圧接させたものである。
【００１４】
これにより、二重水封構成に構成し、水封性を確保することができ、樹脂材料からなるケーシングの成形バラツキによりオイルシール外周側の寸法や真円度に誤差が生じた場合でも、水封性を確保することができ、オイルシールと固定部接触面間から流体の漏れ、流体の侵入を抑制することができる。
【発明の効果】
【００１５】
本発明の洗濯機は、オイルシールの径方向だけでなく、縦方向でも水封性を持たせることができ、流体の漏れ、流体の侵入を抑制することができる。
【図面の簡単な説明】
【００１６】
【図１】本発明の実施の形態における洗濯機の外観斜視図
【図２】同洗濯機の縦断面図
【図３】同洗濯機の風呂水ポンプの外観斜視図
【図４】同洗濯機の風呂水ポンプのオイルシール部の拡大断面図
【図５】同洗濯機の風呂水ポンプのオイルシールの部分拡大断面図
【図６】本発明の実施の形態２における洗濯機の風呂水ポンプのオイルシール部の拡大断面図
【図７】本発明の実施の形態３における洗濯機の風呂水ポンプのオイルシール部の拡大断面図
【図８】従来の洗濯機用の風呂水ポンプの断面図
【図９】同洗濯機の風呂水ポンプのオイルシール部の拡大断面図
【発明を実施するための形態】
【００１７】
第１の発明は、本体と、本体内に収納された水槽と、前記水槽内に風呂水等を給水する風呂水ポンプと、前記風呂水ポンプの外装を構成するケーシングと、前記風呂水ポンプの回転軸に外嵌されて前記ケーシングの固定部に固定されたオイルシールとを備え、前記風呂水ポンプは、前記オイルシールの外周側に設けた嵌合部と前記固定部とを圧入嵌合するとともに、前記オイルシールの下面部に形成した円周突起部を前記固定部の内底面部に圧接させたものである。
【００１８】
これにより、二重水封構成に構成し、水封性を確保することができ、樹脂材料からなるケーシングの成形バラツキによりオイルシール外周側の寸法や真円度に誤差が生じた場合でも、水封性を確保することができ、オイルシールと固定部接触面間から流体の漏れ、流体の侵入を抑制することができる。
【００１９】
第２の発明は、特に、第１の発明の風呂水ポンプは、オイルシールの上面側に加圧部材を配設したものである。
【００２０】
これにより、オイルシールの上面側に配設した加圧部材によりオイルシールを上から加圧する構成とし、樹脂材料からなるケーシングの成形バラツキによりオイルシール外周側の寸法や真円度に誤差が生じた場合でも、水封性を確保することができ、オイルシールと固定部接触面間から流体の漏れ、流体の侵入を抑制することができる。
【００２１】
第３の発明は、特に、第１または第２の発明の風呂水ポンプは、オイルシールの高さを、固定部の高さより高く設定したものである。
【００２２】
これにより、突起部と固定部の内底面部との接触圧が高まり、樹脂材料からなるケーシングの成形バラツキによりオイルシール外周側の寸法や真円度に誤差が生じた場合でも、水封性を確保することができ、オイルシールと固定部接触面間から流体の漏れ、流体の侵入を抑制することができる。
【００２３】
第４の発明は、特に第１の発明の風呂水ポンプは、オイルシールと加圧部材の当接面の外形よりも科ある部材の外形を大きく設定したものである。
【００２４】
これにより、突起部と固定部の内底面部との接触圧が高まり、樹脂材料からなるケーシングの成形バラツキによりオイルシール外周側の寸法や真円度に誤差が生じた場合でも、水封性を確保することができ、オイルシールと固定部接触面間から流体の漏れ、流体の侵入を抑制することができる。
【００２５】
以下、本発明の実施の形態について、図面を参照しながら説明する。なお、この実施の形態によって本発明が限定されるものではない。
【００２６】
（実施の形態１）
図１は、本発明の実施の形態における洗濯機の外観斜視図、図２は、同洗濯機の縦断面図、図３は、同洗濯機の風呂水ポンプの外観斜視図である。
【００２７】
図１、図２、及び図３において、本体１内には、水槽２が収納されている。
【００２８】
水槽２は、貯水槽３と、貯水槽３内に回転自在に支持される回転ドラム４と、回転ドラム４を回転駆動するモータ７等により構成される。回転ドラム４は、ドラム回転軸５を、回転ドラム４の底部となる背面側に向けて軸方向が水平または水平方向から下向き傾斜となるように軸受６で軸支している。
【００２９】
水槽２は、軸心を洗濯機の本体１内に傾斜して配設され、本体１の基底部８と貯水槽３下面部に設けられた支持板９との間に取り付けられた防振ダンパー１７により重量が支持され、貯水槽３の上部に固定された上部支持金具１１と本体１の上面との間に設けた防振バネ１２で揺動自在に弾性的に防振支持されている。
【００３０】
回転ドラム４の前部周縁部には、振動低減用のために、内部に流体が封入された密閉円環状の流体バランサー１３が配設されている。
【００３１】
本体１の前面部傾斜面には、扉体１４を開閉自在に軸支し、使用者は扉体１４を開放して回転ドラム４内に洗濯衣類を投入する。
【００３２】
本体１の内方下部には、制御部１５が配設され、制御部１５は、洗い、すすぎ、脱水等の一連の行程を制御するマイクロコンピュータ等で構成されている。制御部１５は、扉体１４の上方に配設した操作表示部１６の入力設定手段（図示せず）および表示手段（図示せず）などと信号伝達を行うと共に、モータ７の回転制御などを行う。
【００３３】
本体１内の後方上部には、風呂水ポンプ１８が配設されている。風呂水ポンプ１８は、洗濯水として風呂の残り湯を使うことにより水道水を節約するためのものである。風呂水ポンプは、操作表示部１６からの設定に応じて、風呂水ポンプ１８と浴槽との間に設けたホース（図示せず）を介して、適時に浴槽から風呂水を貯水槽３内へ供給する。
【００３４】
図４は、本発明の実施の形態における洗濯機の風呂水ポンプのオイルシール部の拡大断面図、図５は、同洗濯機の風呂水ポンプのオイルシールの部分拡大断面図である。
【００３５】
図４、図５において、風呂水ポンプ１８は、外装をケーシング１９（全体は図示せず）で構成されている。ケーシング１９の材料は、強度確保や量産性を目的として、例えばガラス入りポリプロピレン等の異方性を持つ成形樹脂材料が採用されている。
【００３６】
風呂水ポンプ１８は、大気側で発生させた原動機（図示せず）による動力を、回転軸１０を通して水（流体）側に伝える。風呂水ポンプ１８は、オイルシール２０を用いて、大気側と水側を隔て、水が大気側に漏れないように構成している。図４中において、上部が大気側、下部が流体(水)側である。
【００３７】
オイルシール２０の外周側には、ゴム部２９(例えば、ニトリルゴム製)と、ゴム部２９に内蔵された金属環２８（例えば、冷間圧延鋼板製）からなる嵌合部２１を設けている。オイルシール２０の内周側には、回転軸１０に外嵌され水封する、水側にリップ先端部が向いた水シールリップ２６と、グリス溜め２７と、水シールリップ２６の上部側に、グリス溜め２７を間にして大気シールリップ２５とが設けられている。オイルシール２０は、嵌合部２１がケーシング１９の固定部３０の固定部内周面３１に圧入嵌合され、内周側は、圧入嵌合により水封されている。
【００３８】
オイルシール２０には、オイルシール下面２２に突起部２４が形成されている。突起部２４は、断面略三角状で、０．１ｍｍ程度突出形成されており、固定部内底面３３に圧接されている。
【００３９】
本実施の形態１におけるオイルシール２０取り付け部の構成では、オイルシール２０のオイルシール下面２２に形成した突起部２４が、固定部３０の固定部内底面３３に圧接されており、オイルシール２０とケーシング１９の固定部３０との水封性は、オイルシール２０の外周部と底面部の二重水封構成で保たれる。
【００４０】
外装のケーシング１９は樹脂材料であるために、オイルシール２０を圧入嵌合で固定する固定部３０の固定部内周面３１は、内径寸法だけでなく、真円度の管理が重要になる。成形バラツキにより内径寸法や真円度に多少の誤差が生じても、オイルシール２０のオイルシール下面２２に形成した突起部２４が、固定部３０の固定部内底面３３に圧接されているので、水封性は十分に確保され、オイルシール２０と固定部３０接触面間から水の漏れ、侵入の発生を抑制することができる。
【００４１】
（実施の形態２）
図６は、本発明の実施の形態２における風呂水ポンプのオイルシールの部分拡大断面図である。
【００４２】
本実施の形態２では、図６に示すように、オイルシール２０の上面側には、加圧部材４０を配設している。オイルシール２０の高さｈ１は、固定部３０の高さｈ２よりも高く形成されている。これにより、加圧部材４０の加圧部材下面４２がオイルシール上面２３を加圧し、突起部２４を固定部３０の固定部内底面３３に圧接させる。
【００４３】
加圧部材４０によりオイルシール２０を上から加圧する構成にすることにより、突起部２４をより均一に固定部３０の固定部内底面３３に圧接させることができ、樹脂材料からなるケーシング１９の成形バラツキによりオイルシール２０外周側の寸法や真円度に多少の誤差が生じたとしても、水封性は十分に確保され、オイルシール２０と固定部３０接触面間から水の漏れ、侵入の発生を抑制することができ、安全性を確保することができる。
【００４４】
（実施の形態３）
図７は、本発明の実施の形態３における風呂水ポンプのオイルシール部の拡大断面図である。
【００４５】
本実施の形態３では、図７に示すように、加圧部材４０の横幅寸法（加圧部材４０が円形の場合には、外径）をオイルシール２０より大きく設定しており、加圧部材４０は、外径Ｗ１がオイルシール２０の外径Ｗ２よりも大きく形成されている。
【００４６】
加圧部材４０の横幅寸法（加圧部材４０が円形の場合には、外径となる）をオイルシール２０より大きく設定することにより、加圧部材４０とオイルシール２０とがより均一に当接し、オイルシール下面２２と固定部内底面３３との間の接圧を均一にし、オイルシール下面２２の突起部２４を確実に圧接することができる。これにより、オイルシール下面と固定部上面との間の接圧を高めることができ、嵌合部２１と固定部内周面３１の接触面間からの流体の漏れ、もしくは、流体の侵入を抑制することができる。
【００４７】
なお、本実施の形態は、ドラム式洗濯機を用いて説明したが、縦型洗濯機に採用することができる。
【産業上の利用可能性】
【００４８】
以上のように、本発明にかかる洗濯機は、風呂水ポンプのオイルシール取付構造において、オイルシールの外周部と底面部の二重水封構成であることにより、水封性を十分に確保することが可能であるので、風呂水ポンプを有する縦型など他の洗濯機の用途に適用できる。
【符号の説明】
【００４９】
１０    回転軸
２０    オイルシール
２１    嵌合部
２２    オイルシール下面
２３    オイルシール上面
２４  突起部
３０    固定部
３１  固定部内周面
３３  固定部内底面
４０    加圧部材
４２  加圧部材下面
ｈ１    オイルシール高さ
ｈ２    固定部高さ
Ｗ１    加圧部材横幅寸法（外径）
Ｗ２    オイルシール外径
【図１】
2018171125.tif 000003
【図２】
2018171125.tif 000004
【図３】
2018171125.tif 000005
【図４】
2018171125.tif 000006
【図５】
2018171125.tif 000007
【図６】
2018171125.tif 000008
【図７】
2018171125.tif 000009
【図８】
2018171125.tif 000010
【図９】
2018171125.tif 000011